(57)【特許請求の範囲】
【請求項１】
湯水供給路から供給される湯水をミスト状にして浴室内に供給するミスト供給状態と供給を停止する供給停止状態とに切り換え自在なミスト供給手段と、運転を制御する運転制御手段とが備えられ、前記運転制御手段は、ミストサウナ運転の実行が指令されると、前記ミスト供給手段をミスト供給状態に切り換えるように構成されている浴室用ミスト装置であって、
前記湯水供給路中の湯水に銀イオンを供給する銀イオン供給状態と銀イオンの供給を停止する供給停止状態とに切り換え自在な銀イオン供給手段と、
前記銀イオン供給手段にて供給される銀イオンの濃度を変更調整する濃度変更手段と、
浴室内の空気を吸気口から吸気したのちに排気口から浴室内に排出させるように循環通風路を通して循環通風させる循環通風手段と、
前記循環通風手段により循環通風されて前記排気口から浴室内に排出される風の吹き出し方向を設定角度範囲内で変更操作自在な風向変更手段とが備えられ、
前記運転制御手段は、
銀イオン水供給運転の実行が指令されると、前記湯水供給路中の湯水に銀イオンを供給すべく前記銀イオン供給手段を前記銀イオン供給状態に切り換えて、銀イオンを含む湯水をミスト状にして浴室内に供給すべく前記ミスト供給手段をミスト供給状態に切り換え、且つ、浴室内の空気を循環通風させるように前記循環通風手段を作動させ、
前記風の吹き出し方向を前記設定角度範囲内で往復移動させながら変更するように前記風向変更手段の運転を制御するように構成され、
前記銀イオン供給状態に切り換えてから退避用設定時間が経過するまでの間は、銀イオンの濃度が設定濃度よりも低い低濃度になり、前記退避用設定時間が経過した後は銀イオンの濃度が前記設定濃度よりも高い高濃度になるように、前記濃度変更手段の運転を制御する銀イオン水供給運転を実行するように構成されている浴室用ミスト装置。
【請求項２】
前記運転制御手段は、
前記銀イオン水供給運転の停止が指令されると、銀イオンの濃度が設定濃度よりも低い低濃度になるように前記銀イオン供給手段の運転を制御し、且つ、その状態で設定時間が経過すると、前記ミスト供給手段を供給停止状態に切り換えるように構成されている請求項１に記載の浴室用ミスト装置。
【請求項３】
前記銀イオン水供給運転の実行を指令する人為操作式の操作スイッチが、浴室の外に設けられている請求項１又は２に記載の浴室用ミスト装置。
【請求項４】
前記運転制御手段は、前記銀イオン水供給運転の実行を開始してから運転用設定時間が経過すると、前記銀イオン水供給運転の停止が指令されるように構成されている請求項３記載の浴室用ミスト装置。
【請求項５】
前記運転制御手段は、前記銀イオン水供給運転を実行しているときは、報知手段による報知作動を実行するように構成されている請求項１〜４のいずれか１項に記載の浴室用ミスト装置。
【請求項６】
前記湯水供給路から供給される湯水を加熱する加熱手段が設けられ、
前記運転制御手段は、ミストサウナ運転の実行が指令されると、前記湯水供給路から供給される湯水を加熱手段により加熱して、前記ミスト供給手段によりミスト状にして浴室内に供給し、
前記銀イオン水供給運転の実行が指令されると、前記銀イオン供給手段にて供給される銀イオンを含む前記湯水供給路から供給される湯水を加熱せずに、前記ミスト供給手段によりミスト状にして浴室内に供給するように構成されている請求項１〜５のいずれか１項に記載の浴室用ミスト装置。
【発明の詳細な説明】
【技術分野】
【０００１】
本発明は、湯水供給路から供給される湯水をミスト状にして浴室内に供給するミスト供給状態と供給を停止する供給停止状態とに切り換え自在なミスト供給手段と、運転を制御する運転制御手段とが備えられ、前記運転制御手段は、ミストサウナ運転の実行が指令されると、前記ミスト供給手段をミスト供給状態に切り換えるように構成されている浴室用ミスト装置に関する。
【背景技術】
【０００２】
上記した浴室用ミスト装置は、湯水供給路から供給される湯水をミスト状にして浴室内に供給するミストサウナ運転を行うことによって、浴室内においてミストサウナと同じような効果を得られるようにしたものであるが、このような浴室用ミスト装置において、従来では、上記したようなミストサウナ運転とは別に、次亜塩素酸水をミスト供給手段によってミスト状にして浴室内に供給する次亜塩素酸水の噴霧運転を行うことができる構成として、次亜塩素酸水を噴霧することにより浴室内におけるカビの発生や雑菌の繁殖を抑制するようにしたものがあった（例えば、特許文献１参照。）。
【０００３】
説明を加えると、前記ミスト供給手段として、湯水供給路から供給される温水を加圧ポンプにより加圧して浴室内に噴霧する吐出部が設けられ、前記湯水供給路の途中に、電気分解によって次亜塩素酸水を生成する電解槽を備えており、この電解槽にて生成した次亜塩素酸水を前記ミスト供給手段によってミスト状にして浴室内に供給する次亜塩素酸水の噴霧運転を行うことができる構成となっている。
【０００４】
【特許文献１】特開平１１−３１６０８３号公報
【発明の開示】
【発明が解決しようとする課題】
【０００５】
次亜塩素酸水は、抗菌作用や防カビ作用等を発揮するものであり、カビの発生や雑菌の繁殖を抑制することは可能であるが、次亜塩素酸水は、抗菌作用や防カビ作用がそれほど強くないので、上記従来構成のように、浴室用ミスト装置にてミストサウナ運転を実行することにより湿気が多く存在する浴室においては、次亜塩素酸水を浴室内に噴霧するようにしても、カビの発生や雑菌の繁殖等を抑制することが充分に行えないものであり、この点で改善が望まれていた。
【０００６】
本発明の目的は、浴室内におけるカビの発生や雑菌の繁殖等を抑制することが可能となる浴室用ミスト装置を提供する点にある。
【課題を解決するための手段】
【０００７】
本発明に係る浴室用ミスト装置の第１特徴構成は、湯水供給路から供給される湯水をミスト状にして浴室内に供給するミスト供給状態と供給を停止する供給停止状態とに切り換え自在なミスト供給手段と、運転を制御する運転制御手段とが備えられ、前記運転制御手段は、ミストサウナ運転の実行が指令されると、前記ミスト供給手段をミスト供給状態に切り換えるように構成されているものであって、前記湯水供給路中の湯水に銀イオンを供給する銀イオン供給状態と銀イオンの供給を停止する供給停止状態とに切り換え自在な銀イオン供給手段と、前記銀イオン供給手段にて供給される銀イオンの濃度を変更調整する濃度変更手段と、浴室内の空気を吸気口から吸気したのちに排気口から浴室内に排出させるように循環通風路を通して循環通風させる循環通風手段と、前記循環通風手段により循環通風されて前記排気口から浴室内に排出される風の吹き出し方向を設定角度範囲内で変更操作自在な風向変更手段とが備えられ、前記運転制御手段は、銀イオン水供給運転の実行が指令されると、前記湯水供給路中の湯水に銀イオンを供給すべく前記銀イオン供給手段を前記銀イオン供給状態に切り換えて、銀イオンを含む湯水をミスト状にして浴室内に供給すべく前記ミスト供給手段をミスト供給状態に切り換え、且つ、浴室内の空気を循環通風させるように前記循環通風手段を作動させ、前記風の吹き出し方向を前記設定角度範囲内で往復移動させながら変更するように前記風向変更手段の運転を制御するように構成され、前記銀イオン供給状態に切り換えてから退避用設定時間が経過するまでの間は、銀イオンの濃度が設定濃度よりも低い低濃度になり、前記退避用設定時間が経過した後は銀イオンの濃度が前記設定濃度よりも高い高濃度になるように、前記濃度変更手段の運転を制御する銀イオン水供給運転を実行するように構成されている点にある。
【０００８】
第１特徴構成によれば、運転制御手段は、銀イオン水供給運転の実行が指令されると、銀イオン水供給運転を実行する。すなわち、銀イオン供給手段を銀イオン供給状態に切り換えて、湯水供給路中の湯水に銀イオンを供給し、且つ、ミスト供給手段をミスト供給状態に切り換えて、銀イオンを含む湯水をミスト状にして浴室内に供給する。さらに、循環通風手段を作動させて浴室内の空気を吸気口から吸気したのちに排気口から浴室内に排出させるように循環通風路を通して循環通風させる。
【０００９】
このような銀イオン水供給運転が実行されると、銀イオンを含む湯水がミスト状になって浴室内に供給されるから浴室の壁面や床面に付着することになる。銀イオンは、強い抗菌作用や防カビ作用を発揮するものであり、この銀イオンを含む湯水が浴室の壁面や床面に付着することによって、カビの発生や雑菌の繁殖等を抑制することが可能となるのである。
【００１０】
そして、銀イオン水供給運転を実行するときには、循環通風手段を作動させて浴室内の空気を循環通風路を通して循環通風させるようにしているから、ミスト供給手段によって銀イオンを含む湯水をミスト状にして供給するときに、循環通風手段にて生成される循環風によってミスト状の湯水が浴室内の広い範囲にわたって分散される状態で供給され、浴室の壁面や床面に対して満遍なく銀イオンを含む湯水を供給することが可能となる。
【００１１】
さらには、ミスト状の湯水が浴室の壁面や床面だけでなく、循環通風手段による生成される循環風により、浴室用ミスト装置内部に備えられた循環通風路の内部にも供給されるので、装置内部にも銀イオンを含む湯水を供給することにより、装置内部におけるカビの発生や雑菌の繁殖等を抑制することが可能となる。
【００１２】
ところで、浴室の壁面や床面に対して満遍なく銀イオンを含む湯水を供給するために、循環通風手段を作動させる代わりに、ミスト供給手段による湯水の供給箇所の個数を多くして浴室内に分散配置させて、湯水を供給するようにすることが考えられるが、そのような構成では、湯水の供給箇所が多くなって構成が複雑になる不利があり、湯水の総供給量が多くなって湯水が無駄に消費される不利があるが、循環通風手段を作動させることによって、このような不利がなく、構成が簡素になり、消費される湯水をできるだけ少なくしながら、浴室内に満遍なく銀イオンを含む湯水を供給することが可能となる。
【００１３】
従って、強い抗菌作用や防カビ作用を発揮する銀イオンを利用することにより、浴室内におけるカビの発生や雑菌の繁殖等を抑制することが可能となる浴室用ミスト装置を提供できるに至った。
さらに、運転制御手段は、銀イオン水供給運転を実行するときは、風の吹き出し方向を設定角度範囲内で往復移動させながら変更するように風向変更手段の運転を制御するので、風の吹き出し方向が変化するので、偏りが少ない状態で略均一に浴室の壁面や床面の広い範囲にわたり銀イオンを含む湯水を供給することが可能となる。
さらに、運転制御手段は、銀イオン水供給運転の実行が指令されると、銀イオン水供給運転を実行する。すなわち、銀イオン供給手段を銀イオン供給状態に切り換えて、湯水供給路中の湯水に銀イオンを供給するのであるが、そのとき、銀イオン供給状態に切り換えてから退避用設定時間が経過するまでの間は、銀イオンの濃度が設定濃度よりも低い低濃度になるように濃度変更手段の運転を制御する。そして、銀イオン供給状態に切り換えてから退避用設定時間が経過した後は、銀イオンの濃度が設定濃度よりも高い高濃度になるように濃度変更手段の運転を制御する。
このような銀イオン水供給運転が実行されると、銀イオンを含む湯水がミスト状になって浴室内に供給されるから浴室の壁面や床面に付着することになる。銀イオンは、強い抗菌作用や防カビ作用を発揮するものであり、この銀イオンを含む湯水が浴室の壁面や床面に付着することによって、カビの発生や雑菌の繁殖を抑制することが可能となるのである。
そして、銀イオン水供給運転を実行するときには、銀イオン供給状態に切り換えてから退避用設定時間が経過するまでの間は、銀イオンの濃度が設定濃度よりも低い低濃度にするから、例えば、銀イオン水供給運転の実行を開始しているにもかかわらず、使用者が誤って浴室内に入った場合であっても、銀イオンの濃度が設定濃度よりも低い低濃度であるから、人体に悪影響を与えるおそれがなく使用上の安全性を向上することができる。
説明を加えると、銀イオンは人体に対して毒性を持つものではないが、高濃度の銀イオンを含む湯水を人間が浴びた場合における安全性について確認されているとは言えないので、誤って使用者が浴びるおそれがある運転開始後には、人体に悪影響を与えるおそれがないことが一般的に知られている低濃度の銀イオンを含む湯水を供給するようにしているのである。
又、前記退避用設定時間が経過した後は銀イオンの濃度が前記設定濃度よりも高い高濃度にするので、高濃度の銀イオンを含む湯水が浴室に供給されて浴室の壁面や床面に付着することによって、カビの発生や雑菌の繁殖等をより的確に抑制することが可能となる。
【００２３】
本発明の第２特徴構成は、第１特徴構成に加えて、前記運転制御手段は、前記銀イオン水供給運転の停止が指令されると、銀イオンの濃度が設定濃度よりも低い低濃度になるように前記銀イオン供給手段の運転を制御し、且つ、その状態で設定時間が経過すると、前記ミスト供給手段を供給停止状態に切り換えるように構成されている点にある。
【００２４】
第２特徴構成によれば、前記銀イオン水供給運転の停止が指令されると、それまで前記設定濃度よりも高い高濃度に制御されていた銀イオンの濃度が設定濃度よりも低い低濃度になるように前記銀イオン供給手段の運転を制御する。そして、その状態で設定時間が経過すると、ミスト供給手段を供給停止状態に切り換えて、銀イオン水供給運転を停止するのである。その結果、前記設定時間が経過した後には、通水路の内部の湯水が銀イオンの濃度が低濃度の湯水に入れ替わることになる。
【００２５】
つまり、銀イオン水供給運転を停止して銀イオンを含む湯水の浴室への供給が停止されると、前記通水路の内部には、銀イオンを含む湯水が一部残留することになるが、その通水路の内部に残留する湯水は、銀イオンの濃度が設定濃度よりも低い低濃度になっている。
【００２６】
従って、銀イオン水供給運転を実行しているときは、高濃度の銀イオンを含む湯水をミスト状態で供給することによって、カビの発生や雑菌の繁殖を抑制することが可能でありながら、銀イオン水供給運転が停止した後において、ミストサウナ運転を実行したときにおいて、銀イオンの濃度が高濃度である湯水を使用者が誤って浴びることを回避することができる。
【００２７】
又、長期間ミストサウナ運転を実行しない場合、水質の劣化等の問題が発生することがあるが、低濃度の銀イオン水が通水路の内部に残留しているため、雑菌の繁殖を抑制することができる。すなわち、一度殺菌処理されている上水であれば、低濃度の銀イオン水であっても雑菌の繁殖を抑制することができるからである。
【００２８】
本発明の第３特徴構成は、第１特徴構成〜第２特徴構成のいずれかに加えて、前記銀イオン水供給運転の実行を指令する人為操作式の操作スイッチが、前記浴室の外に設けられている点にある。
【００２９】
第３特徴構成によれば、使用者が銀イオン水供給運転を実行するときは、浴室の外に設けられた人為操作式の操作スイッチを操作することによって、銀イオン水供給運転の実行を指令することになるから、銀イオンを含む湯水が浴室に供給されるときには、使用者は浴室の外にいるので誤って銀イオンを含む湯水を浴びることを回避できる。
【００３０】
本発明の第４特徴構成は、第３特徴構成に加えて、前記運転制御手段は、前記銀イオン水供給運転の実行を開始してから運転用設定時間が経過すると、前記銀イオン水供給運転の停止が指令されるように構成されている点にある。
【００３１】
第４特徴構成によれば、銀イオン水供給運転の実行を開始してから運転用設定時間が経過すると停止が指令されて銀イオン水供給運転を自動的に停止することになる。
【００３２】
例えば、使用者の人為操作による指令に基づいて銀イオン水供給運転の停止を指令する構成であれば、使用者が銀イオン水供給運転の停止の指令を忘れると、長時間にわたり銀イオン水供給運転を実行するおそれがある。しかし、上記したように、銀イオン水供給運転の実行を開始してから運転用設定時間が経過すると銀イオン水供給運転の停止が指令される構成であれば、このような不利がなく、確実に銀イオン水供給運転を停止することができる。
【００３３】
本発明の第５特徴構成は、第１特徴構成〜第４特徴構成のいずれかに加えて、前記運転制御手段は、前記銀イオン水供給運転を実行しているときは、報知手段による報知作動を実行するように構成されている点にある。
【００３４】
第５特徴構成によれば、前記銀イオン水供給運転を実行しているときは、報知手段による報知作動を実行するから、使用者は、銀イオン水供給運転を実行していることが判るので、誤って浴室内に入ることを回避できる。
【００３５】
本発明の第６特徴構成は、第１特徴構成〜第５特徴構成のいずれかに加えて、前記湯水供給路から供給される湯水を加熱する加熱手段が設けられ、前記運転制御手段は、ミストサウナ運転の実行が指令されると、前記湯水供給路から供給される湯水を加熱手段により加熱して、前記ミスト供給手段によりミスト状にして浴室内に供給し、前記銀イオン水供給運転の実行が指令されると、前記銀イオン供給手段にて供給される銀イオンを含む前記湯水供給路から供給される湯水を加熱せずに、前記ミスト供給手段によりミスト状にして浴室内に供給するように構成されている点にある。
【００３６】
第６特徴構成によれば、ミストサウナ運転においては、湯水供給路から供給される湯水が加熱手段により加熱されて、ミスト供給手段によりミスト状にして浴室内に供給されることになる。従って、使用者は、加熱されて温度が高くなった湯水がミスト状態で供給されるから浴室内において快適にミストサウナと同じような効果を得ることができる。
【００３７】
一方、銀イオン水供給運転においては、銀イオンを含む湯水は加熱しない状態でミスト状態で浴室内に供給されることになるから、この銀イオン水供給運転を実行しているときに、誤って使用者が浴室内に入った場合であっても、温度が低い状態で湯水がミスト状態で供給されるから、使用者は、すぐに浴室から外に出て行くことになり、銀イオンを含む湯水を浴びることを回避できる。
【発明を実施するための最良の形態】
【００３８】
以下、本発明に係る浴室用ミスト装置の実施形態を図面に基づいて説明する。
図１に示すように、この浴室用ミスト装置は、熱源機１からミスト機能付きの浴室暖房乾燥機２に外部配管路４を通して温水を循環させて熱供給を行うように構成されている。そして、熱源機１及び浴室暖房乾燥機２の運転を制御する運転制御手段としてのマイクロコンピュータ利用の制御部５と、運転状態を指令するリモコン操作部６とが備えられている。
【００３９】
前記熱源機１は、図３に示すように、熱媒用熱交換器７及びこの熱媒用熱交換器７を加熱するバーナ８からなる熱媒加熱部９、外部開放型の膨張タンク１０に貯留される熱媒としての湯水を、熱媒加熱部９にて加熱したのちに外部配管路４を通して浴室暖房乾燥機２に循環させる循環ポンプ１３などが備えられている。
【００４０】
説明を加えると、外部配管路４の一方の管路４ａに接続される熱媒戻り路１４が膨張タンク１０の入口側に接続され、外部配管路４の他方４ｂの管路に接続される熱媒往き路１５が熱媒用熱交換器７の出口側に接続され、膨張タンク１０の出口側と熱媒用熱交換器７の入口側を連通する熱媒連通路１６が設けられ、この熱媒連通路１６の途中箇所に循環ポンプ１３が設けられている。
【００４１】
前記熱媒往き路１５を流動する熱媒を熱媒戻り路１４にバイパス流動させるバイパス路１８が設けられ、熱媒戻り路１４には熱媒の温度を検出する熱媒戻りサーミスタ１９が設けられ、熱媒往き路１５には熱媒の温度を検出する熱媒往きサーミスタ２０が設けられている。
【００４２】
前記膨張タンク１０に給水するためのタンク給水路２１には補給水電磁弁２３が設けられ、膨張タンク１０には、水位の上限を検出する上限センサ２４と水位の下限を検出する下限センサ２５が設けられ、膨張タンク１０の水位が上限センサ２４と下限センサ２５との間の水位に維持されるように補給水電磁弁２３が制御されるように構成されている。なお、溢れ出た熱媒を排出させるオーバーフロー路２６も膨張タンク１０に接続されている。
【００４３】
前記バーナ８に燃料ガスを供給する燃料供給路２７には、燃料供給を断続する電磁操作式の断続弁２８、バーナ８の燃焼量すなわち燃料供給量を変更調節自在な電磁操作式のガス量調節弁２９が備えられ、バーナ８に燃焼用空気を供給するファン３０も設けられ、バーナ８の近くには、バーナ８に対する点火動作を実行するイグナイタ３１と、バーナ８が着火されているか否かを検出するフレームロッド３２とがそれぞれ備えられている。
【００４４】
そして、この熱源機１は、後述するような暖房運転、乾燥運転、及び、ミストサウナ運転を実行するときは、循環ポンプ１３を循環作動させ、熱媒往きサーミスタ２０にて検出される熱媒の温度が設定目標温度（例えば、８０℃）になるようにバーナ８の燃焼状態が制御される構成となっている。
【００４５】
前記浴室暖房乾燥機２は、図２に示すように、浴室Ｙに設置され、浴室Ｙ内を空調するための循環ファン３３および空調用熱交換器１１などを備えた本体ケーシング３４と、その本体ケーシング３４に支持されるミスト噴出部３５などを備えた収納ボックス３６とを備えて構成されている。
【００４６】
前記本体ケーシング３４は、浴室Ｙの天井裏に入り込ませた状態で設置され、その設置状態において、ミスト噴出部３５を天井３７の表面側に支持させ、浴室Ｙ内側において、ミスト噴出部３５が支持された本体ケーシング３４を覆うグリル板３８が設けられている。このグリル板３８には、吸気口３９と吹出口４０とを並設し、ミスト噴出部３５に配設された複数の噴出ノズル３５ａに対応する位置に、湯水をミスト状に噴出するための複数のミスト噴出口４１が形成されている。
【００４７】
前記本体ケーシング３４には、吸気口３９を通して浴室Ｙ内の空気を吸引して吹出口４０を通して空気を吹き出すための循環通風路４２、その循環通風路４２に対して通風作用する循環通風手段としての循環ファン３３、循環通風路４２を通風する空気に対して加熱作用する空調用熱交換器１１、浴室Ｙ内の空気を吸引して排気ダクト４４（図１参照）を通して屋外に排気する換気ファン４５などが備えられている。
【００４８】
前記吹出口４０には、風の吹き出し方向を設定角度範囲内で変更操作自在な風向変更手段としての電動モータ駆動式の可動ルーバーＲが設けられ、後述するようなミストサウナ運転及び銀イオン水供給運転を実行するときには、風の吹き出し方向を前記設定角度範囲内で往復移動させながら変更するように運転が制御される構成となっている。
【００４９】
前記収納ボックス３６には、外部配管路４に接続されて熱源機１にて加熱された湯水を循環通流する熱媒供給路４８が設けられ、この熱媒供給路４８がミスト用熱交換器側流路４８ａと空調用熱交換器側流路４８ｂとに分岐されて、ミスト用熱交換器側流路４８ａにミスト用熱交換器１２が接続され、空調用熱交換器側流路４８ｂに前記空調用熱交換器１１が接続されている。又、ミスト用熱交換器側流路４８ａにはミスト用熱交換器側断続弁４９が設けられ、空調用熱交換器側流路４８ｂには空調用熱交換器１１への熱媒の供給を断続させる空調用熱交換器側断続弁５１が設けられている。
【００５０】
このようにして、ミスト用熱交換器１２と空調用熱交換器１１とを熱媒供給路４８に対して並列状態で接続して、熱源機１から供給される約８０℃の温水をミスト用熱交換器１２と空調用熱交換器１１とに循環通流する構成となっている。
【００５１】
前記ミスト用熱交換器１２は、ミスト用熱交換器側流路４８ａを通して循環する湯水と、水道から通水路４６を通して通流する水とを熱交換するプレート式液液熱交換器にて構成され、このミスト用熱交換器１２において熱源機１から供給される約８０℃の温水と通水路４６を通して供給される湯水とを熱交換させ、そのミスト用熱交換器１２にて加熱された湯水をミスト噴出部３５に供給して浴室Ｙにミスト状にして噴霧させるようにしている。
【００５２】
そして、通水路４６におけるミスト用熱交換器１２よりも下流側には、ミスト用熱交換器１２にて加熱されたミスト用の湯水をミスト噴出部３５から浴室Ｙに供給する開状態と供給を停止する閉状態とに切り換え自在なミスト供給弁４７が設けられ、このミスト供給弁４７を開閉操作することで、湯水をミスト状態で噴霧する状態と噴霧を停止する状態とに切り換え可能に構成されている。
【００５３】
前記ミスト噴出部３５とミスト供給弁４７とにより、湯水供給路としての通水路４６から供給される湯水をミスト状にして浴室Ｙ内に供給するミスト供給状態と供給を停止する供給停止状態とに切り換え自在なミスト供給手段ＭＫが構成されている。
【００５４】
前記熱媒供給路４８における熱交換器側流路４８ａと空調用熱交換器側流路４８ｂとの分岐箇所よりも上流側箇所、つまり、ミスト用熱交換器１２よりも上流側箇所には、その箇所での熱媒の温度を検出する熱媒サーミスタ５０が設けられ、通水路４６のミスト用熱交換器１２よりも下流側には、その箇所における湯水の温度を検出する出湯温サーミスタ５３が設けられている。
【００５５】
また、前記通水路４６におけるミスト用熱交換器１２よりも下流側であって且つ通水路断続弁４７よりも上流側に位置する箇所から分岐して外部の排出箇所に排水させる状態で排水路５５、及び、その排水路５５を開閉自在な排水弁５６が設けられている。尚、詳述はしないが、排水路５５から排出される湯水は浴室Ｙの排水箇所に排出するようになっている。
【００５６】
そして、通水路４６のミスト用熱交換器１２よりも上流側には通水量を変更調整自在な通水量調整弁５２と、通水路４６中の湯水に銀イオンを供給する銀イオン供給状態と銀イオンの供給を停止する供給停止状態とに切り換え自在な銀イオン供給手段としての銀イオン供給部７０とが設けられている。
【００５７】
前記銀イオン供給部７０は、通流される湯水の中に銀により構成される一対の電極を挿入し、それらの一対の電極７０ａ，７０ｂの一方を陽極に他方を陰極にした状態で電圧が印加されることによって銀イオン供給状態に切り換わり、電圧の印加が停止されると供給停止状態に切り換わる構成となっている。この銀イオン供給部７０においては、電圧が印加されると、一対の電極７０ａ，７０ｂのうち陽極側の電極において、Ａｇ（銀）→Ａｇ+（銀イオン）+ｅ-（電子）という反応が起こり、水中に銀イオンが溶出することになる。そして、一対の電極７０ａ，７０ｂに印加する電圧の電圧値を変更調整することにより銀イオンの単位時間あたりの発生量を変更させることができる。
【００５８】
但し、通水路４６を通流する湯水内に含まれる銀イオンの濃度は、例えば、図５に示すように、印加電圧が同じであって単位時間あたりの銀イオンの発生量が同じであっても、通水路４６を通流する湯水の通流量が変化すると変化することになるので、通水路４６を通流する湯水の通流量に応じて適切な電圧を印加することにより、銀イオンの濃度を管理する構成となっている。
【００５９】
すなわち、前記銀イオン供給部７０に供給する電圧を変更調整可能な電圧調整部７１が設けられている。そして、制御部５は、通水量調整弁５２の作動を制御して通水路を通流する湯水の通流量を予め定めた設定量に調整した状態で、この電圧調整部７１の作動を制御して銀イオン供給部７０に供給する電圧を変更調整して、湯水内に含まれる銀イオンの濃度が設定量になるように制御する構成となっている。
【００６０】
前記電圧調整部７１及び前記通水量調整弁５２により、銀イオン供給部７０にて供給される銀イオンの濃度を変更調整する濃度変更手段ＮＨが構成されている。
【００６１】
前記リモコン操作部６は、制御部５と双方向に通信可能に構成され、浴室Ｙに隣接する脱衣室や台所などの浴室の外に設けられている。このリモコン操作部６には、暖房運転モードを指令する暖房スイッチ６１、換気運転モードを指令する換気スイッチ６２、乾燥運転モードを指令する乾燥スイッチ６３、涼風運転モードを指令する涼風スイッチ６４、ミストサウナ運転モードを指令するミストサウナスイッチ６５、銀イオン水供給運転の実行を指令する人為操作式の操作スイッチとしての銀イオンスイッチ６６、報知手段としてのブザー６７等が設けられている。
【００６２】
前記制御部５は、リモコン操作部６の指令に基づいて、暖房スイッチ６１が操作されると暖房運転を実行し、換気スイッチ６２がＯＮ操作されると換気運転を実行し、乾燥スイッチ６３がＯＮ操作されると乾燥運転を実行し、涼風スイッチ６４がＯＮ操作されると涼風運転を実行し、ミストサウナスイッチ６５がＯＮ操作されるとミストサウナ運転を実行し、銀イオンスイッチ６６がＯＮ操作されると銀イオン水供給運転を実行するように構成されている。但し、銀イオンスイッチ６６は、使用者が誤って操作することがないように、通常は蓋体６８によって覆われる構成となっており、しかも、制御部５は、数秒間連続して銀イオンスイッチ６６がオン操作されると、銀イオン水供給運転を実行するようになっている。
【００６３】
以下、各運転について説明する。
前記暖房運転は、換気ファン４５を停止し、循環ファン３３及び熱源機１を作動させて、空調用熱交換器側断続弁５１の開閉を制御して空調用熱交換器１１に熱媒加熱部９にて設定目標温度（約８０℃）に加熱した湯水を循環供給し、且つ、浴室Ｙ内の空気を吸気口３９から吸気して循環通風路４２を循環通風させ、空調用熱交換器１１により加熱したのちに吹出口４０から浴室Ｙ内に吹き出すように運転を制御して、浴室Ｙ内の温度が設定温度に維持されるようにして浴室Ｙ内を暖房する。
【００６４】
前記換気運転は、循環ファン３３の作動を停止し、かつ、空調用熱交換器側断続弁５１を閉状態に維持した状態で、換気ファン４５を作動させて浴室Ｙ内から吸引した空気を排気する。
【００６５】
前記乾燥運転は、循環ファン３３、換気ファン４５、及び、熱源機１の夫々を作動させて、空調用熱交換器側断続弁５１の開閉を制御して空調用熱交換器１１に熱媒加熱部９にて設定目標温度（約８０℃）に加熱した湯水を循環供給し、且つ、浴室Ｙ内の空気を吸気口から吸気して循環通風路４２を循環通風して空調用熱交換器１１により加熱したのちに吹出口４０から浴室Ｙ内に吹き出すことにより、浴室Ｙ内の温度を乾燥用の設定温度範囲に維持する。一方、浴室Ｙ内から吸引した空気の一部を排気ダクト４４を通して屋外に排出させる。つまり、浴室Ｙ内の水分を蒸発させたのち、湿った空気を外部に排出するようにして浴室Ｙ内を乾燥させるのである。
【００６６】
前記涼風運転は、空調用熱交換器側断続弁５１を閉状態に維持した状態で循環ファン３３及び換気ファン４５を作動させて、循環ファン３３により浴室Ｙ内から吸引した空気の一部を排気ダクト４４を通して屋外に排出させながら、浴室Ｙ内から吸引した空気を加熱することなく循環通風路４２を通して浴室Ｙ内に吹き出す。
【００６７】
前記ミストサウナ運転は、換気ファン４５を停止し、循環ファン３３及び熱源機１を作動させて、空調用熱交換器側断続弁５１の開閉を制御して熱媒加熱部９にて設定目標温度に加熱した湯水を空調用熱交換器１１に循環供給するようにしながら、ミスト用熱交換器側断続弁４９を開弁させ、熱媒加熱部９にて設定目標温度に加熱した湯水をミスト用熱交換器１２にも循環供給する。又、ミスト供給弁４７及び通水量調整弁５２を開弁して、ミスト噴出部３５への湯水の供給を開始して、通水路４６を通して供給されてミスト用熱交換器１２にて加熱された湯水をミスト噴出部３５からミスト状態で浴室内に噴霧する。このとき、通水量調整弁５２の通水量はミストサウナ運転用の設定値として予め設定している通水量に設定する。
【００６８】
次に、前記銀イオン水供給運転について説明する。
制御部５は、この銀イオン水供給運転において、通水路４６中の湯水に銀イオンを供給すべく銀イオン供給部７０を銀イオン供給状態に切り換えて、銀イオンを含む湯水をミスト状にして浴室Ｙ内に供給すべくミスト供給手段ＭＫをミスト供給状態に切り換え、且つ、浴室Ｙ内の空気を循環通風させるように循環ファン３３を作動させるように構成されている。又、前記風の吹き出し方向を前記設定角度範囲内で往復移動させながら変更するように可動ルーバーＲの運転を制御するように構成されている。
【００６９】
さらに、制御部５は、銀イオン水供給運転において、銀イオン供給部７０により供給される銀イオンを含む湯水をミスト供給手段ＭＫによりミスト状にして浴室Ｙ内に供給すべく、銀イオン供給部７０を銀イオン供給状態に切り換え、且つ、銀イオン供給状態に切り換えてから退避用設定時間が経過するまでの間は、銀イオンの濃度が設定濃度よりも低い低濃度になり、前記退避用設定時間が経過した後は銀イオンの濃度が前記設定濃度よりも高い高濃度になるように、通水量調整弁５２及び電圧調整部７１の運転を制御するように構成されている。
【００７０】
そして、前記銀イオン水供給運転の実行を開始してから運転用設定時間が経過すると、前記銀イオン水供給運転の停止が指令されるように構成され、前記銀イオン水供給運転の停止が指令されると、銀イオンの濃度が設定濃度よりも低い低濃度になるように銀イオン供給部７０の運転を制御し、且つ、その状態で設定時間が経過すると、ミスト供給手段ＭＫを供給停止状態に切り換えるように構成されている。
【００７１】
以下、制御部５における銀イオン水供給運転を実行するときの具体的な動作について説明する。
図４に示すように、数秒間連続して銀イオンスイッチ６６がオン操作されて銀イオン水供給運転の開始が指令されると、先ず、ブザー６７を作動させて銀イオン水供給運転を実行していることを報知する（ステップ１、２）。次に、循環ファン３３の作動を開始し、且つ、可動ルーバーＲを作動させて設定角度範囲内で往復移動する往復移動運転を開始する（ステップ４）。又、ミスト供給弁４７を開弁して湯水をミスト噴出部３５に供給して、ミスト供給弁４７を開弁して浴室Ｙにミスト状にして噴霧させる（ステップ５）。但し、このときは、熱源機１からの高温の湯水の循環供給は行わないので、低温の水がミスト状態で供給されることになる。
【００７２】
そして、そのときにミスト噴出部３５に供給される湯水に銀イオン供給部７０により銀イオンを供給し、且つ、その銀イオンの濃度が設定濃度（例えば、０．１ｐｐｍ）よりも低い低濃度になるように調整する。具体的には、通水量調整弁５２における通水量を予め設定されている設定量（例えば、２リッター／分）に調整し、電圧調整部７１の運転を制御して銀イオン供給部７０における一対の電極７０ａ、７０ｂに対して電圧を印加することになるが、銀イオンの濃度が前記設定濃度よりも低い低濃度になるように、電圧調整部７１により一対の電極７０ａ，７０ｂに対して印加する電圧を調整するのである（ステップ６、７）。
【００７３】
説明を加えると、通水量調整弁５２における通水量を前記設定量に調整した状態において、銀イオンの濃度が前記設定濃度よりも低い低濃度になるような電圧が予め実験により求められて、メモリに予め記憶されており、電圧調整部７１により一対の電極７０ａ，７０ｂに対して印加する電圧を、その記憶した電圧値になるように銀イオン供給部７０における一対の電極７０ａ，７０ｂに対して電圧を調整するのである。
【００７４】
そして、ミスト噴出部３５から低濃度の銀イオンを含む湯水を供給し始めてから退避用設定時間（例えば、１０秒〜数十秒程度）が経過すると、銀イオンの濃度が設定濃度よりも高い高濃度、具体的には、１ｐｐｍ程度の濃度になるように，一対の電極７０ａ，７０ｂに対して印加する電圧を調整する（ステップ８、９）。具体的には、低濃度の場合と同様に、通水量調整弁５２における通水量を前記設定量に調整した状態において、銀イオンの濃度が高濃度（１ｐｐｍ）になるような電圧が予め実験により求められて、メモリに予め記憶されており、一対の電極７０ａ，７０ｂに対して印加する電圧を、その記憶した電圧値になるように、電圧調整部７１を制御するのである。
【００７５】
従って、通水路４６中の湯水に銀イオンを供給すべく銀イオン供給部７０を銀イオン供給状態に切り換えて、銀イオンを含む湯水をミスト状にして浴室内に供給すべくミスト供給手段ＭＫをミスト供給状態に切り換え、且つ、浴室Ｙ内の空気を循環通風させるように循環ファン３３を作動させる状態となる。このような運転状態では、例えば、図６に示すように、浴室Ｙ内において、ミスト状に噴霧される銀イオンを含む湯水を、循環ファン３３による循環風によって浴室の隅々まで満遍なく供給することが可能となる。
【００７６】
ミスト噴出部３５から高濃度の銀イオンを含む湯水を供給し始めてから運転用設定時間（例えば、数分〜１０分間程度）が経過すると、銀イオン供給部７０における一対の電極７０ａ，７０ｂに印加する電圧を銀イオンの濃度が前記設定濃度よりも低い低濃度になるような値に調整する（ステップ１０、１１）。そして、その後、通水路４６の内部の湯水が銀イオン濃度が高濃度の湯水から低濃度の湯水に入替わるのに要する入替用設定時間（数秒〜１０数秒程度）が経過すると、ミスト供給弁４７を閉弁して、循環ファン３３の作動並びに可動ルーバーＲの作動を停止して、銀イオン水供給運転を終了する（ステップ１２〜１５）。
【００７７】
尚、この実施形態で示した銀イオンの濃度や設定時間は例示であって、本発明はこれらの数値に限定されるものではなく、適宜変更して実施してもよい。
【００７８】
〔別実施形態〕
以下、別実施形態を列記する。
【００７９】
（１）上記実施形態では、ミスト供給手段が浴室暖房乾燥機と一体的に備えられ、湯水供給路としての通水路中に液液熱交換器にて構成されるミスト用熱交換器が設けられ、ミストサウナ運転を実行するときは、このミスト用熱交換器にて湯水を加熱する構成としたが、このような構成に代えて、次のように構成してもよい。尚、第１実施形態と同じ部材については同じ番号を付しており、詳細な説明は省略する。
【００８０】
図７、図８に示すように、第１実施形態のときの本体ケーシング３４だけを備えるような構成の浴室暖房乾燥機２Ａが備えられ、且つ、ミスト供給装置７２が浴室暖房乾燥機２Ａと分離した状態で別途備えられる。そして、熱源機１として、第１実施形態のような、暖房やミスト用湯水の加熱を行うための熱媒としての湯水を加熱して循環する熱媒加熱部９とは別に、給湯用の湯水を加熱するための給湯用加熱部８１を備える構成として、この給湯用加熱部８１から湯水供給路としての給湯路８３を通して浴室Ｙの給湯栓８２に湯水が供給され、且つ、その給湯路８３から分岐してミスト状にして浴室に供給する構成である。又、図７に示すように、浴室暖房乾燥機２Ａと熱源機１との運転を制御する暖房乾燥用の制御部５Ａが設けられている。
【００８１】
前記熱源機１には、給水路８４と、バーナ８５にて加熱される給湯用熱交換器８６を通過した後に加熱後の湯水を出湯する給湯路８３とが接続され、給水路８４を通して供給される湯水が熱交換されて所望の温度の湯水が給湯路８３を通して供給されるように構成され、バーナ８５と給湯用熱交換器８６にて給湯用加熱部８１が構成される。
【００８２】
給水路８４には、給水温度を検出する給水サーミスタ８７と給水量を検出する水量センサ８８とが設けられ、又、熱交換器８６を迂回するように給水バイパス路８９が設けられている。さらに、給湯路８３には、上流側から順に、給湯用熱交換器８６からの湯水の温度を検出する給湯サーミスタ９０と、給水バイパス路８９からの水量を調整するバイパス弁９１と、混合された後の湯水の温度を検出する出湯サーミスタ９２と、湯水の流量量を設定量に調整する水量調整弁９３とが設けられている。
【００８３】
前記ミスト供給装置７２は、給湯路８３から分岐した分岐路９４に、第１実施形態と同様な銀イオン供給部７０、ミスト供給弁４７、ミスト噴出部３５が夫々設けられており、第１実施形態と同様に、排水路５５及び排水弁５６も設けられている。又、このミスト供給装置７２には、ミスト用の制御部５Ｂが設けられている。そして、浴室暖房乾燥機２Ａの浴室Ｙに臨む部分に光送信器９５が設けられ、ミスト供給装置７２の浴室Ｙに臨む部分に光受信器９６が設けられ、光送信器８５から光受信器９６を介して制御用情報をミスト供給装置７２に備えられたミスト用の制御部５Ｂに通信可能に構成され、ミスト用の制御部５Ｂがその通信指令に基づいて各部の運転を制御する構成となっている。
【００８４】
この実施形態では、リモコン操作部６のミストサウナスイッチ６５がＯＮ操作されると第１実施形態と同様なミストサウナ運転を実行するが、そのとき、暖房乾燥用の制御部５Ａが、循環ファン３３を作動させ、空調用熱交換器側断続弁５１を開弁し、熱源機１による熱媒の加熱及び給湯用湯水の加熱を開始して、光送信器９５から光受信器９６を介して制御用情報をミスト供給装置７２に通信する。そして、ミスト用の制御部５Ｂは、光通信にて前記制御用情報を受信すると、ミスト供給弁４７を開弁して給湯路８３から湯水を供給して、湯水を浴室Ｙ内にミスト状に供給する。
【００８５】
リモコン操作部６の銀イオンスイッチ６６が操作されることによって銀イオン水供給運転が指令されると、第１実施形態と同様な銀イオン水供給運転を実行するが、そのとき、暖房乾燥用の制御部５Ａは、循環ファン３３を作動させ、空調用熱交換器側断続弁５１を閉弁し、熱源機１に通信して、給湯路８３における通流量を設定量に維持するように水量調整弁９３を制御し、光送信器９５から制御用情報をミスト供給装置７２に通信する。このとき、湯水の加熱は行わない。そして、ミスト用の制御部５Ｂは、光通信にて前記制御用情報を受信すると、ミスト供給弁４７を開弁し、且つ、電圧調整部７１を制御して銀イオン供給部７０に対する印加電圧を調整する。このときの具体的な制御方法は第１実施形態と同じである。
【００８６】
従って、この実施形態では、暖房乾燥用の制御部５Ａとミスト用の制御部５Ｂにより、運転制御手段５が構成され、水量調整弁９３と電圧調整部７１とにより濃度調整手段ＮＨが構成される。
【００８７】
（２）上記実施形態では、前記浴室暖房乾燥機の運転モードとして、暖房運転、換気運転、乾燥運転、涼風運転、ミストサウナ運転、銀イオン水供給運転の夫々を実行する構成としたが、このような運転モードに加えて、衣類のお手入れ運転を行う構成としてもよい。
【００８８】
この衣類のお手入れ運転は、浴室に適宜箇所に衣類を吊り下げておき、前記暖房運転と同様な暖房運転を実行したのちに、浴室内の湿度が設定湿度になるように加熱した温水をミスト噴出部から噴出させる加温加湿運転を実行し、このような運転状態を設定時間継続したのに加温加湿運転を停止し、その後、前記乾燥運転と同様な乾燥運転を実行するものである。又、前記加温加湿運転を実行するときには、循環ファンを作動させて、可動ルーバーＲを往復移動させるが、衣類には直接当てることがないように移動範囲が設定される。
【００８９】
又、このような衣類のお手入れ運転において、ミスト噴出部から湯水を供給する状態にしてもよいが、銀イオンの濃度を低くして銀イオン水供給運転を行うようにしてもよい。
【００９０】
（３）上記実施形態では、前記ミスト供給手段として、水道の水圧を利用して湯水をミスト噴出部から噴出させるようにしたが、このような構成に代えて、例えば、回転円板の遠心力や超音波振動等を利用してミスト化して噴出させるようにしたり、又、蒸気発生手段を設けてスチームを吐出するように構成するものでもよい。
【００９２】
（４）上記実施形態では、前記銀イオン水供給運転の停止が指令されると、銀イオンの濃度が設定濃度よりも低い低濃度になるように前記銀イオン供給手段の運転を制御し、且つ、その状態で設定時間が経過すると、前記ミスト供給手段を供給停止状態に切り換えるように構成したが、このような構成に代えて、銀イオン水供給運転の停止が指令されると、低濃度にすることなく直ちに前記ミスト供給手段を供給停止状態に切り換える構成としてもよい。
【００９５】
（５）上記実施形態では、前記銀イオン水供給運転の実行を指令する人為操作式の操作スイッチが前記浴室の外に設けられる構成としたが、浴室の内部に設けられるものでもよい。
【００９６】
（６）上記実施形態では、前記銀イオン水供給運転の実行を開始してから運転用設定時間が経過すると、前記銀イオン水供給運転の停止が指令されるように構成したが、このような構成に代えて、前記銀イオン水供給運転の停止を指令する人為操作式の運転停止スイッチを設ける構成としてもよい。
【００９７】
（７）上記実施形態では、前記銀イオン水供給運転を実行しているときは、報知手段としてブザーを作動させる構成としたが、報知手段としては、ブザーに限らず、ランプで報知したり、画像表示で報知する等、各種の形態で報知することができる。
又、このような報知手段を備えずに、前記銀イオン水供給運転を実行しているときであっても報知作動を実行しない構成としてもよい。
【００９８】
（８）上記実施形態では、前記銀イオン水供給運転の実行が指令されると、前記銀イオン供給手段にて供給される銀イオンを含む前記湯水供給路から供給される湯水を加熱せずにミスト状にして浴室内に供給する構成としたが、前記湯水を加熱してミスト状にして浴室内に供給する構成としてもよい。
【図面の簡単な説明】
【００９９】
【図１】浴室用ミスト装置の斜視図
【図２】浴室用ミスト装置の概略構成図
【図３】熱源機の概略構成図
【図４】制御動作のフローチャート
【図５】銀イオン濃度の変化を示す図
【図６】作用説明図
【図７】別実施形態の浴室用ミスト装置の概略構成図
【図８】別実施形態の熱源機の概略構成図
【符号の説明】
【０１００】
５            運転制御手段
３３          循環通風手段
４２          循環通風路
４６、８３    湯水供給路
６６          操作スイッチ
６７          報知手段
７０          銀イオン供給手段
ＭＫ          ミスト供給手段
Ｒ            風向変更手段
【図１】
0004738138.tif 000002
【図２】
0004738138.tif 000003
【図３】
0004738138.tif 000004
【図４】
0004738138.tif 000005
【図５】
0004738138.tif 000006
【図６】
0004738138.tif 000007
【図７】
0004738138.tif 000008
【図８】
0004738138.tif 000009